(57)【要約】【課題】スライドショー表示を行わせる際に、連続表示される画像と発音される楽音とがマッチしており、しかも全体としてストーリ性のある画像表示及び楽音発生を簡単に行わせることが可能な撮像装置を提供する。【解決手段】スライドショウを作成するための記憶媒体の管理情報記憶部３０には、複数パートに分割された楽音パートに対応して、どのような撮像を行えば楽音パートにマッチした画像が得られるかの撮像アドバイス情報を記憶するアドバイス情報記憶領域３０Ｄが設けられており、ユーザは、この撮像アドバイス情報に従った撮像を行うことによってスライドショーに適した画像撮影が行える。【選択図】      図４
2007267329.tif 000002
【特許請求の範囲】
【請求項１】
複数の楽音パート情報からなる楽音情報を記憶する楽音情報記憶手段と、この楽音情報記憶手段に記憶された前記複数の楽音パート情報それぞれに対応する撮像アドバイス情報を記憶するアドバイス情報記憶手段と、このアドバイス情報記憶手段に記憶された前記撮像アドバイス情報に従って外部被写体を撮像する撮像手段と、この撮像手段によって撮像された前記外部被写体の画像を前記撮像アドバイス情報に対応する楽音パート情報に対応させて記憶する撮像画像記憶手段とを備えたことを特徴とする撮像装置。
【請求項２】
更に、前記楽音情報に記憶された前記複数の楽音パート情報を順次報音する報音手段と、前記撮像画像記憶手段に記憶された前記外部被写体の画像を表示する表示手段と、前記報音手段による報音がなされている際に報音されている楽音パート情報に対応する外部被写体の画像を前記撮像画像記憶手段から読み出して前記表示手段に表示させる表示制御手段とを備えたことを特徴とする請求項１に記載の撮像装置。
【請求項３】
前記撮像画像記憶手段に記憶される前記外部被写体の画像は静止画像と動画像とを混在させた画像であることを特徴とする請求項１又は２に記載の撮像装置。
【請求項４】
更に、外部装置もしくはネットワークとの通信手段と、この通信手段を介して前記楽音情報記憶手段に前記複数の楽音パート情報を記憶させ且つ前記アドバイス情報記憶手段に前記撮像アドバイス情報を記憶させる通信制御手段とを備えていることを特徴とする請求項１乃至３の何れかに記載の撮像装置。
【請求項５】
コンピュータを、
複数の楽音パート情報からなる楽音情報を記憶する楽音情報記憶手段、
この楽音情報記憶手段に記憶された前記複数の楽音パート情報それぞれに対応する撮像アドバイス情報を記憶するアドバイス情報記憶手段、
このアドバイス情報記憶手段に記憶された前記撮像アドバイス情報に従って外部被写体を撮像する撮像手段、
この撮像手段によって撮像された前記外部被写体の画像を前記撮像アドバイス情報に対応する楽音パート情報に対応させて記憶する撮像画像記憶手段、
として機能させるための撮像プログラム。
【発明の詳細な説明】
【技術分野】
【０００１】
この発明は、撮像装置およびプログラムに関する。
【背景技術】
【０００２】
従来、デジタルカメラなどで撮像した画像を保存及び表示させるだけでなく、撮像された複数の画像それぞれに、それぞれの画像の雰囲気にあった音楽データを対応させて記憶させておき、複数の画像を連続して再生表示させた際に、対応して記憶されている音楽データも同時に音声出力させる、所謂、スライドショー表示が可能な編集を行うことが考えられている（特許文献１及び２参照）。
【特許文献１】特開２００３−２８８０９４号公報
【特許文献２】特開２００５−２０４０２１号公報
【発明の開示】
【発明が解決しようとする課題】
【０００３】
しかしながら、上述した特許文献１及び２等に記載されている従来のスライドショー編集にあっては、既に撮像された画像に対して、その画像に合った音楽データを対応させるものであり、適切な音楽データがない場合には、スライドショーとしての効果が薄れてしまう欠点があった。
【０００４】
特に、ユーザが画像撮影を行う場合にあっては、撮像時に音楽データを意識して撮像しているわけではなく、しかも個人でスライドショー編集を行おうとすると、大量の音楽データを保有していなければならないので、撮像された画像に対して適切な音楽データを対応させるのが困難であった。
【０００５】
しかも、個々の画像データに対して適切な音楽データがあったとしても、撮像された複数の画像自体がバラバラでストーリ性のない画像であると、同時に再生される音楽データもバラバラな音楽が順次発生されることとなり、全体としてまとまりのないスライドショーになってしまうおそれもある。
【０００６】
また、スライドショー編集にあっては、編集ソフトなどを用いて表示させる画像の選択や表示時間の設定、それにあった音楽データの対応付けなど複雑な作業を行わなければならないので極めて面倒なものであった。
【０００７】
この発明の課題は、連続表示される画像と発音される楽音とがマッチしており、しかも全体としてストーリ性のある画像表示及び楽音発生を簡単に行わせることが可能な撮像装置を提供することにある。
【課題を解決するための手段】
【０００８】
本発明による撮像装置は、複数の楽音パート情報からなる楽音情報を記憶する楽音情報記憶手段と、この楽音情報記憶手段に記憶された前記複数の楽音パート情報それぞれに対応する撮像アドバイス情報を記憶するアドバイス情報記憶手段と、このアドバイス情報記憶手段に記憶された前記撮像アドバイス情報に従って外部被写体を撮像する撮像手段と、この撮像手段によって撮像された前記外部被写体の画像を前記撮像アドバイス情報に対応する楽音パート情報に対応させて記憶する撮像画像記憶手段とを備えたことを特徴とする。
【発明の効果】
【０００９】
本発明によれば、楽音情報に合わせて撮像を行うため、撮像された画像情報と発音される楽音情報とがマッチしており、しかも画像情報及び楽音情報を全体としてストーリ性のあるものとすることが出来る撮像装置が提供出来る。
【発明を実施するための最良の形態】
【００１０】
以下、図を参照して本発明の一実施例を説明する。この実施例は、撮像装置として、小型で携帯可能なデジタルカメラ装置（以下、カメラと略称する。）に適用した場合を例示したもので、図１は、本発明によるカメラの基本的な構成要素を示したブロック図である。
【００１１】
ＣＰＵ（制御部）１は、内部にＣＰＵ及び図示していないＲＯＭ（リード・オンリ・メモリ）等を備えており、カメラ全体の動作を制御するための各種プログラムや各種データを格納している。この制御部１には、バスライン２を介して記憶部３、報音部４、時計回路５、表示部６、撮像部７、入力部（操作釦）８、記録媒体９を駆動する記録媒体駆動部１０及び通信制御部１１が接続されている。
【００１２】
記憶部３は、カメラの内部に固定的に設けられ、通常状態では取り出すことができない内部メモリである。この記憶部３は、読み出し及び書き込みが可能な揮発性のメモリであるＲＡＭ（ランダム・アクセス・メモリ）、或いは不揮発性のメモリである、例えばフラッシュメモリ等から構成されている。
【００１３】
図２は、この記憶部３の詳細な構成図を示すもので、モード値記録領域３Ａには、カメラの基本動作モードを示すモード値Ｍが記録される。モード値Ｍは、その値が「０」（以下、Ｍ＝０の様に示す。）の時、後述するシャッタ釦８Ａの操作によって外部被写体を撮像し、撮像した画像を前記記録媒体９に記録させる撮影モードである。
【００１４】
また、Ｍ＝１の時は、記録媒体９に記録された画像を前記表示部６に再生表示させる再生モード、Ｍ＝２の時は、記録された画像を選択的に消去する消去モードである。
【００１５】
更に、モード値ＭがＭ＝３の時は記録媒体９に記録された画像やこの画像に関連する情報を通信制御部１１を介して外部の電子機器、例えば他のデジタルカメラ装置やパーソナルコンピュータ或いは印刷装置などに転送したり、逆に受信したりする転送モードである。
【００１６】
記憶部３のスライドショーフラッグ記憶領域３Ｂは、詳細は後述するがスライドショー用の画像を撮影或いは再生する際のスライドショーフラッグＦを記憶する領域であり、Ｆ＝１の時がスライドショー用の画像を撮影或いは再生するモードである。
【００１７】
パート数記憶領域３Ｃは、スライドショー用の情報を複数パートに分割し、スライドショー用の画像撮影或いは再生時に、その撮影（或いは再生）パート数Ｐを記憶する領域である。再生制御情報記憶領域３Ｄは画像再生時の再生制御情報、例えば画像枚数や各画像の再生時間、或いは画像に各種エフェクト効果を施して表示させる際のエフェクト効果の種類情報などの再生制御情報Ｒを記憶する領域である。更に、ワークエリア３Ｅは、撮影した画像情報の一時記録や各種処理に使用される記録領域である。
【００１８】
図１に戻り、報音部４は、後述する楽音や音声などを発生する報音回路及びスピーカからなり、時計回路５は基準信号を計時して現在の年、日付、時分秒などを出力する回路である。
【００１９】
通信制御部１１は、外部の電子機器、例えば他のカメラや印刷装置、パーソナルコンピュータ等と接続され、画像情報や他の情報の送受信を制御するものである。なお、外部の電子機器との接続は、ケーブルなどによる有線で行ってもよく、或いは赤外線や無線などのワイヤレス接続で行っても良い。
【００２０】
表示部６は、例えばカラー液晶表示装置などから構成され、撮影時又は再生時の画像や各種設定情報、各種動作のガイダンス情報及び後述するアドバイス情報などが表示されるものである。
【００２１】
撮像部７は、外部の被写体像を撮影するもので、図３は、この撮像部７の詳細な構成を示したものである。光学系（撮影レンズ）１２Ａを介して入射される光束の開口量は絞り機構１２Ｂによって調整され、被写体像がＣＣＤ等の撮像素子１３上に結像される。合焦のために撮影レンズ１２Ａは光学系駆動部１４によって光軸に沿って移動されると共に、適切な露出となるように絞り機構１２Ｂの開口量も光学系駆動部１４によって制御される。
【００２２】
計測部１５は、図示しない測距センサや受光センサ及びホワイトバランス制御のための色センサなどを備えており、この計測部１５で検出された検出値はバスライン２を介して制御部１に送られる。制御部１は、予め設定されている撮影条件に基づき、送られてきた検出値から撮影レンズ１２Ａの移動量や絞り機構１２Ｂの開口量を演算し、演算結果に基づいた駆動信号が光学系駆動部１４に送られることによって、光学系駆動部１４が撮影レンズ１２Ａの移動や絞り機構１２Ｂの開口量を調整する。
【００２３】
撮像素子１３に被写体像が結像されることにより撮像素子１３には入射光量に応じた電荷が蓄積され、蓄積された電荷は読み出し駆動回路１６から与えられる駆動パルス信号によって順次読み出されてアナログ処理回路１７に送られる。アナログ処理回路１７では、色分離やゲイン調整、ホワイトバランスなどの各種処理が行われ、処理された信号はＡ／Ｄ変換回路１８を介してデジタルの画像情報としてバッファレジスタからなるバッファ回路１９に記録される。バッファ回路１９に記録された画像情報は、バスライン２を介して図２で示した記憶部３のワークエリア３Ｄに一時記録された後、バスライン２を介して信号処理回路２０に送られ輝度信号及び色差信号に変換されるとともに、圧縮伸長回路２１によってＪＰＥＧ規格に準じて圧縮された後、ファイル化されて図１に示した記録媒体９に記録される。
【００２４】
図１に戻り、入力部８は、シャッタ釦８Ａと、図２のモード値記録領域３Ａに記録されているモード値Ｍを操作毎に順次切り替えるモード切替釦８Ｂと、スライドショー撮影或いは再生を行うモードにするためにスライドショーフラグＦをＦ＝１に設定するためのスライドショー釦８Ｃと、スライドショーにおいて撮像や再生を開始するために操作される開始釦８Ｄとを備えている。また、図示していないが撮影条件の設定や撮影し且つ記録した静止画像の再生や消去、外部との通信及び編集などを行うための複数の制御用操作釦も備えている。更に、各種の選択を行うために上下左右にそれぞれスイッチ操作部が設けられた十字釦８Ｅも備えられている。
【００２５】
記録媒体駆動部１０は、記録媒体９が着脱可能となっており、記録媒体９に対して画像情報を含む各種情報を記録したり、既に記録されている情報を読み出して再生したりする為の駆動回路である。記録媒体９は撮像部７で撮像され且つファイル化された画像情報を多数記録できる不揮発性の大容量メモリからなる記録領域を有しており、例えば半導体回路を用いたＩＣカード等が用いられる。また、スライドショーの撮像或いは再生時には、後述するスライドショー用の各種情報が記憶された記憶領域を有するＩＣカードの記録媒体９が装着される。なお、ＩＣカードではなく、磁気ディスク、光ディスク、光磁気ディスク等の各種ディスクを記録媒体９として用いても良く、記録媒体駆動部１０もこれら使用される記録媒体９に応じた駆動回路となっていれば良い。
【００２６】
図４は、上記スライドショー用の画像撮像時に用いられる記録媒体９の記憶領域の詳細を示している。スライドショー用の画像撮像時に用いられる記録媒体９には図４に示す管理情報記憶部３０、楽音情報記憶部３１、歌詞情報記憶部３２及び画像情報記憶部３３が備えられている。
【００２７】
しかして、楽音情報記憶部３１には、それぞれのアドレスＡ１、Ａ２、Ａ３・・・Ａｎでアドレス指定される記憶領域それぞれに、予め定められた楽曲の楽音情報が複数パートに分かれて記憶されている。
【００２８】
例えば、図５に示す如く、楽曲データが楽音１乃至楽音ｎからなり、楽音１乃至楽音ｎに対応する歌詞情報が図６に示す様にそれぞれ歌詞１乃至歌詞ｎから構成される場合、最初の１０秒間の楽音情報が楽音１、次の１５秒間の楽音情報が楽音２、その次の５秒間の楽音情報が楽音３、・・・とすると、楽音情報記憶部３１のアドレスＡ１、Ａ２、Ａ３・・・でアドレス指定される記憶領域それぞれには、楽音情報として楽音１、２、３、・・・がそれぞれ記憶されている。
【００２９】
歌詞情報記憶部３２には、それぞれのアドレスＢ１、Ｂ２、Ｂ３・・・Ｂｎでアドレス指定される記憶領域それぞれに、楽音１、２、３、・・・に対応する歌詞のテキスト情報である歌詞１、２、３、・・・が記憶されている。画像情報記憶部３３には、アドレスＡ１、Ａ２、Ａ３・・・に対応してアドレスＣ１、Ｃ２、Ｃ３・・・でアドレス指定される記憶領域がそれぞれ設けられているが、この記憶領域はユーザによって撮像された画像が記憶される領域であり、初期状態においては何も記憶されていない。
【００３０】
管理情報記憶部３０には、楽音のパート番号記憶領域３０Ａに記憶されているパート番号１、２、３、・・・それぞれに対応して、楽音アドレス記憶領域３０Ｂ、歌詞アドレス記憶領域３０Ｃ、アドバイス情報記憶領域３０Ｄ、画像アドレス記憶領域３０Ｅ及び再生情報記憶領域３０Ｆが設けられている。
【００３１】
そして、楽音アドレス記憶領域３０Ｂ、歌詞アドレス記憶領域３０Ｃ及び画像アドレス記憶領域３０Ｅには、それぞれ上述した楽音情報記憶部３１、歌詞情報記憶部３２及び画像アドレス記憶部３３の、各パート記憶領域のアドレス情報が記憶されており、アドバイス情報記憶領域３０Ｄには、各パートに対応する撮像時の撮像アドバイス情報が記憶されている。また、再生制御情報記憶領域３０Ｆには、画像再生時の再生制御情報、例えば画像枚数や各画像の再生時間、或いは画像に各種エフェクト効果を施して表示させる際のエフェクト効果の種類情報などの再生制御情報が記憶されている。なお、撮像アドバイス情報及び再生制御情報に関しては後述する。
【００３２】
図７は、図４で示した画像情報記憶部３３の画像情報を除く他の各種情報（以下、スライドショー情報と称呼する）の入手システムを説明するものである。サーバ装置４０は、スライドショー用の楽曲データをネットワーク４１を介して販売配付するサービス会社によって運営されるもので、このサーバ装置４０には、図８に示す様に、多数の楽曲Ａ、Ｂ、Ｃ・・・に対して、それぞれ上述した管理情報記憶部３０、楽音情報記憶部３１、歌詞情報記憶部３２及び画像情報記憶部３３からなる記憶部が設けられている。
【００３３】
この場合、楽音情報記憶部３１及び歌詞情報記憶部３２の楽音情報及び歌詞情報は既存の楽曲、或いは作詞家、作曲家が新たに創作した楽曲が記憶されているものである。そして、管理情報記憶部３０のアドバイス情報記憶領域３０Ｄには、プロのカメラマンや演出家が、それぞれの楽曲の持つストーリ性や訴求内容に従って、必要であれば作詞家、作曲家と協働して、その楽曲のそれぞれの楽音パート部分にどのような画像がふさわしいか或いは雰囲気に合っているか等を検討し、そのような画像を撮影するための撮像アドバイス情報を記憶させたものである。
【００３４】
この場合、撮像アドバイス情報としては、撮像対象物、カメラアングルや被写体の構成、被写体の雰囲気、被写体の明暗及び色など多岐にわたった内容が含まれる。
【００３５】
また、再生制御情報記憶領域３０Ｆには、楽音パート毎に、撮像された画像をどのように再生させれば楽音イメージにあった画像となるかの制御情報を記憶させたものである。
【００３６】
この制御情報は、例えば、静止画画像を長時間或いは短時間で切換表示させたりするための枚数情報や再生時間情報、特定の色の強調、カラー画像をモノクロにしたり、セピア色で表示させる等の画像エフェクト情報、画像がだんだん消えていったりするフェードアウト表示やフェードイン表示などを行わせる情報である。
【００３７】
しかして、ユーザは、自己のパーソナルコンピュータ４２に記録媒体９を装着し、サーバ装置４０の楽曲Ａ、Ｂ、Ｃ、・・・のうち所望する楽曲を購入して記憶媒体９にダウンロードし、この記憶媒体９をカメラ４３（図１に示したカメラ）に装着するものである。
【００３８】
なお、カメラ４３を直接ネットワーク４１に接続させてダウンロードしてもよく、また、カメラに装着可能な記憶媒体９ではなく、記憶部３のワークエリア３Ｅにダウンロードして記憶させてもよいものである。
【００３９】
次に、上記の如く構成されたカメラの動作について説明する。通常撮影の場合には、記憶部３のモード値記憶領域３Ａのモード値ＭをＭ＝０に設定し、スライドショーフラッグＦをＦ＝０にした状態でシャッタ釦８Ａを操作することによって撮像部７による撮像がなされ、撮像された画像情報が記録媒体９に記録される。
【００４０】
記録媒体９に記録された画像情報はモード値ＭをＭ＝１の再生モードにすることによって表示部６に表示できる。即ち十字釦８Ｅの操作毎に記録媒体９に記録された画像情報が順次切換表示されるものである。
【００４１】
図４で示したスライドショー情報に対して、画像情報記憶部３３に撮像画像を記憶させスライドショー用の完成データを作成する場合には、モード値記憶領域３Ａのモード値ＭをＭ＝０の撮影モードに設定し、スライドショーフラッグＦをスライドショー釦８Ｃの操作によりＦ＝１のスライドショー撮影モードに設定し、且つ、図４に示した記憶部を有する記録媒体９を装着する。
【００４２】
図９は、上記スライドショー撮影モードにおける動作フローチャートを示している。ステップＳ１は、開始釦８Ｄが操作されたか否かを検出するもので、開始釦８Ｄの操作が検出されるとステップＳ２のパート歩進処理に進む。このステップＳ２は、記憶部３のパート数記憶領域３Ｃに記憶されているパート数Ｐを歩進（＋１）させるもので、初期状態においてパート数Ｐは「０」なので、このステップＳ２では「１」が設定される。
【００４３】
次のステップＳ３では、設定されたパート数に基づく楽音の発生と歌詞の表示がなされるもので、即ち、パート数「１」が設定されると、管理情報記憶部３０のパート番号記憶領域３０Ａのパート番号１に対応する楽音アドレス記憶部３０Ｂのアドレス情報Ａ１及び歌詞アドレス記憶部３０Ｃのアドレス情報Ｂ１がそれぞれ読み出され、アドレス情報Ａ１によって楽音情報記憶部３１の楽音１が読み出されて報音部４から報音出力され、アドレス情報Ｂ１によって歌詞情報記憶部３２の歌詞１が読み出されて表示部６に文字表示されるものである。これによってユーザは、楽音のイメージを知ることが出来る。
【００４４】
次のステップＳ４では、管理情報記憶部３０のパート番号記憶領域３０Ａのパート番号１に対応するアドバイス情報記憶部３０Ｄに記憶されている撮像アドバイス情報が表示部６に表示される。
【００４５】
図１１（ａ）は、このステップＳ４での表示部６の表示状態を示したもので、このパートで行わなければならない撮像条件「山、海、空等の遠景を撮影して下さい（２枚）」と、個々の撮像におけるアドバイス「最遠景で１枚撮影して下さい」「同じアングルでズームアップして１枚」が表示され、また、撮像された画像が、それぞれ再生時にどのような状態で再生されるかといった内容６Ａ、６Ｂが表示される。
【００４６】
ステップＳ４の後はステップＳ５に進み、シャッタ釦８Ａの操作がなされたか否か判断し、シャッタ釦８Ａが操作されるまではステップＳ６に進んで、撮像素子１３に写し込まれている外部被写体の画像（スルー画像）と、ステップＳ４で表示された撮像アドバイス画像とを重ねて表示させステップＳ５に戻るという処理を繰り返す。
【００４７】
なお、ステップＳ６では、重ねて表示させるのでなく、スルー画像とアドバイス画像とを並列表示させてもよい。また、ユーザは、ステップＳ４で指示されたアドバイス情報に従った被写体像の撮像を行うことになるが、そのような画像を取るまでに時間がかかる場合は、スイッチ操作で、或いは所定時間経過後に表示部の電源を切るなどの省電力モードに移行させておいてもよい。
【００４８】
しかして、ユーザがアドバイスに添った被写体に対してカメラを向けシャッタ釦８Ａを操作すると、ステップＳ７に進んで撮像部７による撮像処理がなされてファイル化され、次のステップＳ８では、画像情報記憶部３３のうち、画像アドレス記憶領域３０Ｅのパート番号１に対応する記憶領域に記憶されているアドレスＣ１でアドレス指定される領域にファイル化された撮像画像が記憶される。
【００４９】
ステップＳ８が終えると次のステップＳ９に進み、パート番号１での処理が完了したか否か判断される。パート番号１では、２枚の画像を撮影しなければならないのでこの時点ではステップＳ５に戻り、もう一枚の撮像のためにシャッタ釦８Ａの操作を検出する。
シャッタ釦８Ａが操作され、２枚目の撮像が撮像されると、この画像も画像情報記憶部３３のアドレスＣ１でアドレス指定されている記憶領域に記憶される。
【００５０】
このようにして、パート番号１での撮像処理が完了すると、ステップＳ９からＳ１０に進み、全パートでの処理が完了したか否かが判断され、この時点ではまだ完了していないのでステップＳ２に戻り、パート数Ｐを歩進（＋１）させてＰ＝２に設定する。
【００５１】
パート数Ｐが「２」に設定されると、管理情報記憶部３０のパート番号記憶領域３０Ａのパート番号２に対応する楽音アドレス記憶部３０Ｂのアドレス情報Ａ２及び歌詞アドレス記憶部３０Ｃのアドレス情報Ｂ２によって楽音情報記憶部３１の楽音２が読み出されて報音部４から報音され、アドレス情報Ｂ２によって歌詞情報記憶部３２の歌詞２が読み出されて表示部６に文字表示される（ステップＳ３）。
【００５２】
また、管理情報記憶部３０のパート番号記憶領域３０Ａのパート番号２に対応するアドバイス情報記憶部３０Ｄに記憶されている撮像アドバイス情報が表示部６に表示される（ステップＳ４）。
【００５３】
この表示は、図１１（ｂ）に示す様に、撮像条件「女性の笑顔をアップで５枚撮影して下さい」と再生時にどのような状態で再生されるかといった内容６Ｃからなる。
【００５４】
そして、ステップＳ５でシャッタ釦８Ａの操作がなされると、ステップＳ７でる撮像処理がなされてファイル化され、次のステップＳ８では、今度は画像情報記憶部３３のうち、画像アドレス記憶領域３０Ｅのパート番号２に対応する記憶領域に記憶されているアドレスＣ２でアドレス指定される領域にファイル化された撮像画像が記憶される。
【００５５】
次のステップＳ９に進み、パート番号２での処理が完了したか否か判断され、パート番号２では、５枚の画像を撮影しなければならないので上記ステップＳ５及びＳ９が５枚の画像が撮像されるまで繰り返し行われ、５枚の画像が撮像されるとステップＳ９からＳ１０に進み、更にステップＳ２に戻って次のパート番号３が設定される。
【００５６】
以下同様にして、パート３からパートｎ迄の撮像処理がアドバイス情報に従って実行され全ての処理が完了するとステップＳ１０でこれが検出されて処理が終了するものである。
【００５７】
この結果、画像情報記憶部３３には、各パートで要望された撮像画像が記憶された状態となる。なお、図１１（ｃ）のパート３のアドバイス表示に示す様に、撮像は静止画像だけでなく動画像や連写画像の場合もあり、この場合は静止画像を含め、指定された時間の間撮像された動画像或いは連写画像が１つのファイルに混在する画像としてファイル化され画像情報記憶部３３に記憶される。
【００５８】
このようにして記憶されたスライドショー用の各情報は、再生モードにおいてスライドショー表示させることが出来る。
【００５９】
図１０は、モード値記憶領域３Ａのモード値Ｍをモード切替釦８Ｂの操作によってＭ＝１の再生モードに設定し、スライドショーフラッグＦをスライドショー釦８Ｃの操作によりＦ＝１のスライドショー撮影モードに設定したスライドショー再生モードにおける動作フローチャートを示している。
【００６０】
ステップＳ１１では、入力部８の開始釦８Ｄが操作されたか否かが判断され、開始釦８Ｄの操作が検出されるとステップＳ１２に進み、記憶部３のパート数記憶領域３Ｃに記憶されているパート数Ｐを歩進（＋１）させる。初期状態においてはパート数Ｐは「０」なので、このステップＳ１２では「１」が設定される。また、ステップＳ１２では、設定されたパート数に対応する再生制御情報記憶領域３０Ｆに記憶されている再生制御情報を読み出して記憶部３の再生制御情報記憶領域３Ｄに再生制御情報Ｒとして記憶させる。
【００６１】
次のステップＳ１３では、ステップＳ１２で設定されたパート番号の楽音情報及び歌詞情報を楽音記憶部３１及び歌詞記憶部３２から読み出し、楽音情報は報音部４から出力させると共に、歌詞情報は表示部６に文字表示させる。また、同時に、ステップＳ１２で設定されたパート番号の対応する画像アドレス情報を用いて画像情報記憶部３３をアドレス指定して記憶されている画像ファイルを読み出し、画像情報を表示部６に表示させる。
【００６２】
そして、次のステップＳ１４では、そのパートでの楽音情報出力、歌詞表示及び画像表示が完了したか否かを判断し、完了した場合にはステップＳ１５に進むが、完了していない場合にはステップＳ１３に戻り、楽音出力、歌詞及び画像表示を継続させる。
【００６３】
この場合、記憶部３の再生制御情報記憶領域３Ｄには、再生制御情報Ｒとして、画像枚数及び画像１枚当たりの表示時間が記憶されており、ステップＳ１３及びＳ１４では、この表示時間に応じた画像の表示切替えを行う。
【００６４】
即ち、パート１では、図１１（ａ）に示す様に、２枚の画像をそれぞれ５秒間ずつ表示させる様になっているので、再生制御情報Ｒとして枚数情報「２」と表示時間情報「５秒」とが記憶されており、ステップＳ１４では、最初に表示させた画像の表示時間が上記「５秒」になったことを検出してステップＳ１３に戻って次の画像を切替え表示させ、この表示が更に５秒経過したことを検出してステップＳ１５に進むものである。
【００６５】
ステップＳ１５では、全てのパートの再生が完了したか否かを検出し、完了していない場合にはステップＳ１２に戻り、パート番号を歩進させ且つ歩進されたパート番号の再生制御情報を再生制御情報記憶領域３Ｄに再生制御情報Ｒとして設定し、次のステップＳ１３で、歩進されたパート番号に対応する楽音情報の音声出力及び歌詞表示を行うと共に、パート番号に対応する画像情報記憶部３３に記憶されている撮像画像の表示を再生制御情報Ｒに従って行わせるものである。
【００６６】
このようにして、全てのパートにつき処理が完了するとステップＳ１５において完了が検出されスライドショーの再生表示が終了する。
【００６７】
このように、上記実施例では、楽曲に合わせた画像が出来る様な撮像アドバイス情報が表示され、そのアドバイス情報に従って撮像された画像をスライドショー表示で表示させる様にしたので、曲と表示画像が合致したスライドショー表示が行えるものである。
【００６８】
なお、本発明は種々の応用変形が可能であり、スライドショー情報の各記憶部の構成は本発明の構成に限定されるものではなく、また、撮像画像の記憶方法も上記実施例には限定されない。
【００６９】
例えば、上記実施例では、楽曲の報音順序に従って画像撮影を行わせる様にしたが、ランダムな順序でアドバイス情報に従った画像撮影が出来る様にしてもよく、また、撮像に失敗時にはその画像を消去して新たに撮り直すことや、撮像枚数がアドバイス情報に従わなかった場合でも失敗とすることなく、撮像した画像だけでスライドショーの再生表示が出来る様にしてもよい。
【００７０】
更に、上記実施例では一つの楽曲のスライドショー情報をカメラに記憶させる様にしたが、複数の楽曲のスライドショー情報を予めカメラに記憶させておき、撮像イベントにあった楽曲情報を選択して撮像画像を記憶させる様にしてもよい。
【００７１】
また、一つのスライドショー情報を連続した複数の楽曲から構成してもよく、或いは、複数の楽曲の特徴部分、例えばサビの部分をつなぎ合わせて一つのスライドショー情報として撮像画像を記憶させても用いてもよい。
【００７２】
また、ユーザが日常生活で撮像する可能性の高いイベント、例えば、運動会や旅行、各種発表会等にマッチした楽音からなるスライドショー情報を複数記憶させておいて、いずれかを選択して撮像画像を記憶させてもよく、この場合、楽曲情報を用いるだけでなく、人の声や、自然の音（風の音、滝の音、波の音）などを楽曲以外の音を楽音情報として用いることも出来る。
【００７３】
また、撮像画像を記憶した情報を、他の機器、例えばパーソナルコンピュータなどで再生してスライドショー表示させることも出来、本発明は上記実施例には限定されないものである。
【００７４】
更に、上記実施例では、撮像装置としてカメラに適用した例について述べたが、他の電子機器、例えば携帯電話、ＰＤＡ、ノートパソコン、腕時計、音楽再生機などであっても、撮像機能を備えた電子機器であれば本発明を適用できることは勿論である。
【図面の簡単な説明】
【００７５】
【図１】本発明の撮像装置の回路構成を示したブロック図。
【図２】図１の記憶部３の内容を示した図。
【図３】図１の撮像部７の詳細な構成を示した図。
【図４】スライドショーに用いられる記録媒体９の記憶部の詳細を示した図。
【図５】楽曲の楽音の構成を示した図。
【図６】楽曲の歌詞の構成を示した図。
【図７】スライドショー情報の入手方法を示したシステム構成図。
【図８】図７のサーバ装置４０の記憶内容を示した図。
【図９】撮像画像を記憶させるためのフローチャート図。
【図１０】再生表示のフローチャート図。
【図１１】表示部６の表示状態を示した図。
【符号の説明】
【００７６】
１  制御部
３  記録部
４  報音部
６  表示部
７  撮像部
８  入力部
９  記録媒体
１３  撮像素子
【図１】
2007267329.tif 000003
【図２】
2007267329.tif 000004
【図３】
2007267329.tif 000005
【図４】
2007267329.tif 000006
【図５】
2007267329.tif 000007
【図６】
2007267329.tif 000008
【図７】
2007267329.tif 000009
【図８】
2007267329.tif 000010
【図９】
2007267329.tif 000011
【図１０】
2007267329.tif 000012
【図１１】
2007267329.tif 000013